(57)【要約】【課題】用途に応じた最適なプロファイルを用いてコンテンツの再符号化を行うこと。【解決手段】再符号化設定データ取得部２５、ネットワーク上のサーバ１０に公開されている映像コンテンツの再符号化に関する圧縮コーデック、ビットレート、解像度の情報を含むプロファイルと前記映像コンテンツのジャンルの情報とを含む設定データとを一つ以上取得する。再符号化部２２が取得した設定データから選ばれた一つの設定データに含まれるプロファイルに基づいて映像コンテンツの再符号化を行う。【選択図】    図２
2009182889.tif 000002
【特許請求の範囲】
【請求項１】
ネットワーク上に公開されている映像コンテンツの再符号化に関する圧縮コーデック、ビットレート、解像度の情報を含むプロファイルと前記映像コンテンツのジャンルの情報とを含む設定データとを一つ以上取得する手段と、
前記取得した設定データから選ばれた一つの設定データに含まれるプロファイルに基づいて映像コンテンツの再符号化を行う手段とを具備することを特徴とする再符号化装置。
【請求項２】
前記設定ファイルには、前記設定ファイルを作成したユーザの使用目的として、低容量、携帯映像機器向け、高品質保存版等の情報が格納されていることを特徴とする請求項１記載の再符号化装置。
【請求項３】
前記設定ファイルには、映像コンテンツのタイトル、放映日時、放送局を含むデータが格納されていることを特徴とする請求項１または２の何れか１項に記載の再符号化装置。
【請求項４】
前記映像コンテンツの編集ポイントの情報が格納されていることを特徴とする請求項３に記載の再符号化装置。
【請求項５】
前記設定ファイルには、当該設定ファイルを利用したユーザのコメントが格納されていることを特徴とする請求項１ないし３の何れか１項に記載の再符号化装置。
【請求項６】
前記設定ファイルには、当該設定ファイルを利用したユーザが投票した有用度の平均値が格納されていることを特徴とする請求項１ないし５の何れか１項に記載の再符号化装置。
【請求項７】
ネットワーク上に公開されている映像コンテンツの再符号化に関する圧縮コーデック、ビットレート、解像度の情報を含むプロファイルと前記映像コンテンツのジャンルの情報とを含む設定データとを一つ以上取得し、
前記取得した設定データから選ばれた一つの設定データに含まれるプロファイルに基づいて映像コンテンツの再符号化を行うことを特徴とする再符号化方法。
【請求項８】
前記設定ファイルには、前記設定ファイルを作成したユーザの使用目的として、低容量、携帯機器向け、保存版等の情報が格納されていることを特徴とする請求項７記載の再符号化方法。
【請求項９】
前記設定ファイルには、映像コンテンツのタイトル、放映日時、放送局を含むデータが格納されていることを特徴とする請求項７または８の何れか１項に記載の再符号化方法。
【請求項１０】
前記映像コンテンツの編集ポイントの情報が格納されていることを特徴とする請求項９に記載の再符号化方法。
【請求項１１】
前記設定ファイルには、当該設定ファイルを利用したユーザのコメントが格納されていることを特徴とする請求項７ないし１０の何れか１項に記載の再符号化方法。
【請求項１２】
前記設定ファイルには、当該設定ファイルを利用したユーザが投票した有用度の平均値が格納されていることを特徴とする請求項７ないし１１の何れか１項に記載の再符号化方法。
【請求項１３】
第１再符号化装置において、コンテンツの再符号化に関する圧縮コーデック、ビットレート、解像度やシステムフォーマットの情報を含むプロファイルを設定し、
前記第１再符号化装置において、設定されたプロファイルに基づいてコンテンツを再符号化し、
前記第１再符号化装置において、前記プロファイル、前記コンテンツの情報、再符号化に係わる環境を含む設定データを作成して、ネットワーク上に公開され他の設定データが格納される格納部を有するサーバに送信し、
第２再符号化装置が前記サーバから一つ以上の設定データを取得し、
前記第２再符号化装置において、前記取得した設定データから選ばれる一つの設定データに含まれるプロファイルに基づいて映像コンテンツの再符号化を行うことを特徴とする再符号化方法。
【発明の詳細な説明】
【技術分野】
【０００１】
本発明は、圧縮符号化されているコンテンツを再符号化する再符号化装置および再符号化方法に関する。
【背景技術】
【０００２】
最近、取得したコンテンツをコンピュータ等で再符号化（トランスコード）して、携帯機器等で再生することが行われている。
【０００３】
トランスコードにかかる時間は、高性能のコンピュータを持っていないとかなりの時間がかかる。その割に満足のいく結果は簡単には出ず、試行錯誤を重ねる必要がある。また、入力ソースのジャンル(ドラマ、スポーツ、アニメなど)や出力目的によっても最適な値は異なっている。
【０００４】
特許文献１には、コーデック及びプロファイルをリムーバブルメディアに入れてトランスコードを行う技術が開示されている。
【特許文献１】特開２００７−１３６０２号公報
【発明の開示】
【発明が解決しようとする課題】
【０００５】
上述した技術では、リムーバブルメディアという特性上、基本的には個人若しくは知人同士の交換や、ＣＤ−ＲＯＭなどの光メディアを出版媒体での配布に限られる。
【０００６】
本発明の目的は、他のユーザが作成した再符号化に係わるプロファイルを取得し、用途に応じた最適なプロファイルを用いてコンテンツの再符号化を行うことが可能な再符号化装置および再符号化方法を提供することにある。
【課題を解決するための手段】
【０００７】
本発明の一例に係わる再符号化装置は、ネットワーク上に公開されている映像コンテンツの再符号化に関する圧縮コーデック、ビットレート、解像度の情報を含むプロファイルと前記映像コンテンツのジャンルの情報とを含む設定データとを一つ以上取得する手段と、前記取得した設定データから選ばれた一つの設定データに含まれるプロファイルに基づいて映像コンテンツの再符号化を行う手段とを具備することを特徴とする。
【発明の効果】
【０００８】
本発明によれば、他のユーザが作成した再符号化に係わるプロファイルを取得し、用途に応じた最適なプロファイルを用いてコンテンツの再符号化を行うことが可能になる。
【発明を実施するための最良の形態】
【０００９】
本発明の実施の形態を以下に図面を参照して説明する。
【００１０】
図１は、本発明の一実施形態に係わる再符号化装置２０Ａ〜２０Ｃおよびサーバ１０を示すブロック図である。
【００１１】
図１に示すように、ネットワークに複数の再符号化装置２０としてのノートブック型パーソナルコンピュータおよびサーバ１０が接続されている。再符号化装置２０は、図２に示すように、再符号化プロファイル設定部２１、再符号化部２２、再符号化設定データ生成部２３、再符号化設定データ送信部２４、再符号化設定データ取得部２５、設定データ一覧表示部２６、およびコメント／評価送信部２７等を有する。
【００１２】
再符号化プロファイル設定部２１は、ユーザが再符号化に係わるプロファイル（パラメータ）の値が入力され、入力値を検出する。
【００１３】
再符号化部２２は、再符号化プロファイル設定部２１に入力されたプロファイルに応じて映像コンテンツの再符号化を行う。また、再符号化は、ユーザが設定したプロファイル、または他のユーザが作成した設定データに基づいて行う。
【００１４】
再符号化設定データ生成部２３は、設定データを利用しないである映像コンテンツの再符号化を行った場合に設定データを作成する。設定データには、映像に対して圧縮コーデック、ビットレート、解像度等の符号化に関するプロファイル、音声に対して圧縮コーデック、ビットレート、サンプリングレートなどの符号化に関するプロファイル、映像・音声を多重化するためのシステムフォーマット、再符号化前のコンテンツのタイトル、放映日時、放送局名等のメタデータ、およびコメント等のテキストデータ等が含まれる。
【００１５】
テキストデータには、元の設定データの作成者のコメント、および設定データを利用したユーザのコメントおよび評価を埋め込むことが出来る。なお、設定データを利用したユーザのコメントおよび評価は、当該ユーザがサーバ１０にコメントを送信して、サーバ１０側が設定データにコメントを埋め込む。
【００１６】
再符号化設定データ送信部２４は、再符号化設定データ生成部２３によって作成された再符号化データをユーザの指示に基づいてサーバ１０に送信する。通常、再符号化データの送信は、再符号化されたコンテンツの再生結果が満足する品質であった場合に行われる。
【００１７】
再符号化設定データ取得部２５は、ユーザの指示に応じてサーバ１０に格納されている複数の設定データを取得する。
【００１８】
設定データ一覧表示部２６は、取得した設定データのプロファイルやメタデータを表示画面に表示する。設定データの表示例を図３に示す。図３に示すように、タイトル、放映日、開始（時刻）、終了（時刻）、ＣＨ（放送局）、評価（５段階評価）、使用目的（低容量、携帯、保存版、低スペック）の欄があり、それぞれに対応するものが表示されている。
【００１９】
上から５段目のバックグランドが薄い墨色になっている。これはユーザによって選択されていることを示しており、選択された設定データの詳細がリストの下に表示される。
【００２０】
設定データの詳細には、タイトル、ジャンル、タグ、ユーザ名、（放映）日時、評価（５段階）、用途、再符号化に用いたビデオフォーマット（Ｈ．２６４）、解像度（３２０×２４０）、ビットレート（２Ｍｂｐｓ）、再符号化に用いたオーディオフォーマット（ＬＰＣＭ）、ビットレート（３８４ｋｂｐｓ）、環境（ＣＰＵ:２ＧＨｚ）、トランスコード時間（再符号化時間）が表示されている。更にその下には、他のユーザからのコメントが表示されている。
【００２１】
また、再符号化ボタンＢ１が表示されている。ユーザが再符号化ボタンＢ１上にポインタを合わせて左ボタンを押圧操作することによって、再符号化ボタンＢ１を擬似的に操作し、コンテンツの再符号化が行われる。再符号化を行うコンテンツの指定は、ボタンの操作後に行っても良いし、操作前に行っても良い。
【００２２】
コメント／評価送信部２７は、サーバ１０に格納されている設定データを利用してコンテンツの再符号化を行った場合に、再符号化コンテンツの再生結果に対してユーザが、コメントや評価を作成し、その結果をサーバ１０に送信する。サーバ１０は、上述したように、設定ファイルに受信したコメントや評価を付加する。なお、評価は、送信されている評価の平均値を演算して、その平均値を評価として付加する。
【００２３】
再符号化および設定データのアップロードの手順について図４を参照して説明する。
【００２４】
再符号化プロファイル設定部２１は、ユーザが入力した、再符号化に際して使用するビデオフォーマット、解像度、ビットレート（ビデオ）、オーディオフォーマット、ビットレート（オーディオ）等のプロファイルを検出する（ステップＳ１１）。再符号化プロファイル設定部２１は、ユーザがキーボード等を用いて入力した数値等を検出する。
【００２５】
再符号化部２２は、ステップＳ１１で再符号化プロファイル設定部２１が検出されたプロファイルでコンテンツの再符号化処理を実施する（ステップＳ１２）。ユーザは、再符号化されたコンテンツの再生処理を行う（ステップＳ１３）。なお、再生処理は、ユーザが再符号化されたコンテンツの再生に用いることを想定している装置で行うことが好ましい。
【００２６】
ユーザは、再生したコンテンツを視聴して、品質が満足するものであったか否かを判定する。そして、判定結果を再符号化設定データ作成部に入力する。再符号化設定データ生成部２３は、入力結果が満足であったか否かを判別する（ステップＳ１４）。
【００２７】
満足であると判断した場合（ステップＳ１４のＹＥＳ）、再符号化設定データ生成部２３は、ユーザのコメント等が入力されるユーザ入力欄を画面に表示する（ステップＳ１５）。このユーザ入力欄にはコメント以外に用途の項目やタグの記載欄がある。ユーザの入力が終了すると、再符号化設定データ生成部２３は、ステップＳ１１で設定されたプロファイル、元のコンテンツが有する放映日時等のメタデータ、ユーザが入力した項目を含む再符号化設定データを作成する（ステップＳ１６）。作成された設定データは、再符号化設定データ送信部２４によってサーバ１０にアップロードされる（ステップＳ１７）。アップロードされた再符号化設定データは、サーバ１０の再符号化設定データ格納部１１に格納される。
【００２８】
次に、サーバ１０にアップロードされた再符号化設定データを用いて、再符号化を行う処理の手順を図５のフローチャートを参照して説明する。
【００２９】
先ず、再符号化設定データ取得部２５は、サーバ１０の再符号化設定データ格納部１１から複数の再符号化設定データを取得する（ステップＳ２１）。そして、設定データ一覧表示部２６は、図３に示すような取得した設定データの一覧をＬＣＤに表示する（ステップＳ２２）。ユーザが一覧から表示されている設定データを選択した状態で再符号化ボタンＢ１を疑似押圧操作すると（ステップＳ２３）、再符号化部２２が選択された設定データのプロファイルを用いてコンテンツの再符号化処理を行う（ステップＳ２４）。
【００３０】
再符号化されたコンテンツの再生処理が行われる（ステップＳ２５）。ユーザは、再生結果を基に、コメントおよび評価をコメント／評価送信部２７に入力し、コメント／評価送信部２７はコメントおよび評価を送信する。
【００３１】
以上の処理で、サーバ１０にアップロードされた設定データを用いて再符号化を行うことが出来る。
【００３２】
本装置では、再符号化に係わるプロファイルを含む設定データをネットワークを介して交換するようになっている。これにより、ハードウェア支援コーデックを用いられることや、不特定者が作成したプロファイルを用いることが可能になっている。あるユーザが試行錯誤した結果を他人に適用させることが可能になる。
【００３３】
なお、設定データには、ＣＭのカットを行うための編集ポイントの情報を持たせても良い。例えば、元コンテンツがデジタル放送であれば、タイムスタンプの情報を編集ポイントの情報とする。
【００３４】
また、トランスコードにかかる時間は、高性能のＰＣを持っていないとかなりの時間がかかる。その割に満足のいく結果は簡単には出ず、試行錯誤を重ねる必要がある。また、入力ソースの種別(ドラマ、スポーツ、アニメなど)や出力目的によっても最適な値は異なっている。本装置により、使用者はある程度評価の固まったパラメータを元にトランスコードすることができるようになる。また特に、携帯機器・永久保存版・サイズの削減など用途に応じた変換処理が可能となる
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３５】
【図１】本発明の一実施形態に係わる再符号化装置およびサーバを示す図。
【図２】再符号化装置およびサーバのシステム構成を示すブロック図。
【図３】図２に示す設定データ一覧表示部によって表示される設定データの一覧の例を示す図。
【図４】再符号化および設定データのアップロードの手順を示すフローチャート。
【図５】サーバにアップロードされた再符号化設定データを用いて、再符号化を行う処理の手順を示すフローチャート。
【符号の説明】
【００３６】
１０…サーバ，１１…再符号化設定データ格納部，２０…再符号化装置，２１…再符号化プロファイル設定部，２２…再符号化部，２３…再符号化設定データ生成部，２４…再符号化設定データ送信部，２５…再符号化設定データ取得部，２６…設定データ一覧表示部，２７…評価送信部。
【図１】
2009182889.tif 000003
【図２】
2009182889.tif 000004
【図３】
2009182889.tif 000005
【図４】
2009182889.tif 000006
【図５】
2009182889.tif 000007